(57)【要約】【課題】  上流側下水道設備内に測定部を設けることができない場合であっても、下流側下水道設備へ流入する下水の水質予測値と水質測定値との偏差を考慮することにより、上流側下水道設備への流入下水の水質を精度良く予測することができる水質測定装置およびこの水質予測装置により測定された水質の予測値を利用して下水の水質の制御を行う水質制御装置を提供すること。【解決手段】  水質予測装置１０は、上流側下水道設備へ流入する下水の水質を予測する第１の水質予測部１２と、下流側下水道設備へ流入する下水の水質を予測する第２の水質予測部２２とを備えている。補正部２５は、下流側下水道設備における水質予測値と水質測定値との偏差に基づいて水質補正値を算出する。第１の水質予測部１２は、水質補正値によりこの第１の水質予測部１２で予測された上流側下水道設備の流入下水の水質予測値の補正を行う。【選択図】  図１
2006274577.tif 000002
【特許請求の範囲】
【請求項１】
直列に設けられた上流側下水道設備および下流側下水道設備を有する下水道システムに用いられる水質予測装置において、
前記下流側下水道設備の入口側に設けられ、この下流側下水道設備に流入する下水の水質を測定する測定部と、
外部より上流側下水道設備の流入量予測値または雨量強度予測値が入力され、これらの予測値に基づいて上流側下水道設備の流入水質予測値を予測する第１の水質予測部と、
外部より下流側下水道設備の流入量予測値または雨量強度予測値が入力され、これらの予測値に基づいて下流側下水道設備の流入水質予測値を予測する第２の水質予測部と、
前記第２の水質予測部および前記測定部に接続され、当該測定部により測定された測定値と、前記第２の水質予測部から送られた下流側下水道設備の流入水質予測値との偏差を算出する偏差算出部と、
前記偏差算出部に接続され、この偏差算出部により算出された偏差に基づいて水質補正値を算出し、この水質補正値を前記第１の水質予測部に送る補正部と、
を備え、
前記第１の水質予測部において、前記補正部から送られた水質補正値により前記第１の水質予測部で予測された前記上流側下水道設備の流入水質予測値に対して更に補正を行うことを特徴とする水質予測装置。
【請求項２】
請求項１記載の水質予測装置を備えた下水道システムに用いられ、
前記上流側下水道設備内から下水を公共用水へ放流する下水放流ポンプと、この下水放流ポンプを制御する下水放流ポンプ制御装置とを更に備え、
前記水質予測装置の第１の水質予測部において補正された上流側下水道設備の流入水質予測値が前記下水放流ポンプ制御装置に送られ、
前記下水放流ポンプ制御装置は、前記水質予測装置から送られた補正後の上流側下水道設備の流入水質予測値に基づいて前記下水放流ポンプの制御を行うことを特徴とする水質制御装置。
【請求項３】
請求項１記載の水質予測装置を備えた下水道システムに用いられ、
前記上流側下水道設備内に薬品を注入する薬品注入ポンプと、この薬品注入ポンプを制御する薬品注入ポンプ制御装置とを更に備え、
前記水質予測装置の第１の水質予測部において補正された上流側下水道設備の流入水質予測値が前記薬品注入ポンプ制御装置に送られ、
前記薬品注入ポンプ制御装置は、前記水質予測装置から送られた補正後の上流側下水道設備の流入水質予測値に基づいて前記薬品注入ポンプの制御を行うことを特徴とする水質制御装置。
【請求項４】
請求項１記載の水質予測装置を備えた下水道システムに用いられ、
前記上流側下水道設備内から下水を公共用水へ放流する下水放流ポンプと、この下水放流ポンプの下流側に設けられたスクリーンと、前記スクリーンを洗浄するスクリーン洗浄器と、前記スクリーン洗浄器を制御するスクリーン洗浄制御装置とを更に備え、
前記水質予測装置の第１の水質予測部において補正された上流側下水道設備の流入水質予測値が前記スクリーン洗浄制御装置に送られ、
前記スクリーン洗浄制御装置は、前記水質予測装置から送られた補正後の上流側下水道設備の流入水質予測値に基づいて前記スクリーン洗浄器の制御を行うことを特徴とする水質制御装置。
【請求項５】
請求項１記載の水質予測装置を備えた下水道システムに用いられ、
前記上流側下水道設備および前記下流側下水道設備の間から分岐して設けられた貯留設備と、前記上流側下水道設備から貯留設備への下水の流入を調整する流入ゲートと、前記流入ゲートを制御する流入ゲート制御装置とを備え、
前記水質予測装置の第１の水質予測部において補正された上流側下水道設備の流入水質予測値が前記流入ゲート制御装置に送られ、
前記流入ゲート制御装置は、前記水質予測装置から送られた補正後の上流側下水道設備の流入水質予測値に基づいて前記流入ゲートの制御を行うことを特徴とする水質制御装置。
【請求項６】
請求項１記載の水質予測装置を備えた下水道システムに用いられ、
前記上流側下水道設備および前記下流側下水道設備の間から分岐して設けられた貯留設備と、前記貯留設備から前記下流側下水道設備へ下水を返送する返送ポンプと、前記返送ポンプを制御する返送ポンプ制御装置とを備え、
前記水質予測装置の第１の水質予測部において補正された上流側下水道設備の流入水質予測値が前記返送ポンプ制御装置に送られ、
前記返送ポンプ制御装置は、前記水質予測装置から送られた補正後の上流側下水道設備の流入水質予測値に基づいて前記返送ポンプの制御を行うことを特徴とする水質制御装置。
【発明の詳細な説明】
【技術分野】
【０００１】
本発明は、ポンプ場、下水処理場、雨水貯留施設、自然吐口等の下水道設備を備えた下水道システムにおける、上流側の下水道設備内の下水の水質を予測する水質予測装置およびこの水質予測装置により測定された水質の予測値を利用して下水の水質の制御を行う水質制御装置に関する。
【背景技術】
【０００２】
一般に、例えば合流式下水道等の下水道システムにおいて、雨天時に河川、湖沼、海域等の公共用水区域に排出される水中のＢＯＤ（生物化学的酸素要求量）、ＳＳ（浮游物質）、大腸菌群等の汚濁物質が公共用水の水環境に悪影響を及ぼしている。とりわけ、下水道システムにおける下水処理設備（下流側下水道設備）の上流側に設けられたポンプ設備や自然吐口（上流側下水道設備）から放流される処理前放流水は下水処理がなされていないので、この処理前放流水に含有される汚濁物質が高濃度となってしまうという問題がある。
流入下水等の被処理下水の水質を測定することにより、このような汚濁物質の濃度を低減させる下水道システムの水質制御装置としては例えば特許文献１に示すものが知られている。
【０００３】
従来の下水道システムの水質制御装置について図６を用いて詳しく説明する。
図６に示すように、例えば下水処理施設からなる下水道システムは、ポンプ設備（上流側下水道設備）２と、このポンプ設備２の下流側に接続ライン８を介して設けられた下水処理設備（下流側下水道設備）３とを備えている。ポンプ設備２には流入ライン７から合流下水１が流入するようになっており、またこのポンプ設備２内から下水を河川等の公共用水へ放流する下水放流ポンプ５が設けられている。下水放流ポンプ５により引き抜かれたポンプ設備２内の下水は、ポンプ設備流出ライン９ｂから処理前放流水６として流出し、最終的に公共用水へ送られるようになっている。また、下水放流ポンプ５にはこの下水放流ポンプ５の制御を行う下水放流ポンプ制御装置１４が接続されている。一方、下水処理設備３において下水処理が行われた処理済放流水４が下水処理設備流出ライン９ａから流出するようになっている。
【０００４】
【特許文献１】特開２０００−１０７７４４号公報
【発明の開示】
【発明が解決しようとする課題】
【０００５】
しかしながら、図６の示すような従来の下水道システムにおいては、ポンプ設備（上流側下水道設備）２の水深が深いため当該ポンプ設備２内に濁度計等の水質の測定器を設置することは困難である。また、ポンプ設備２内に測定器を設置した場合には、この測定器により測定すべき流入下水はまだ下水処理設備（下流側下水道設備）３により下水処理が行われていないので、当該流入下水の汚れが測定器に付着して測定精度が低下するという問題がある。
【０００６】
このため、例えば図６に示すように、流入水質予測部８２を有する水質予測装置８０を下水放流ポンプ制御装置１４に接続し、当該流入水質予測部８２が、オペレータにより入力されたポンプ設備２の流入量予測値８１（または雨量強度予測値）に基づいてポンプ設備２の流入水質予測値を予測する方法が考えられている。しかし、このような方法によっても流入水質予測部８２による流入水質予測値と実際の流入水質との間には大きな誤差があり、とりわけ下水道システムの運転状態が変化したときにはこの誤差が更に大きくなるという問題がある。
【０００７】
本発明は、このような点を考慮してなされたものであり、上流側下水道設備内に下水の水質を測定する測定部を設けることができない場合であっても、下流側下水道設備へ流入する下水の水質予測値と水質測定値との偏差を考慮することにより、上流側下水道設備に流入する下水の水質を精度良く予測することができる水質予測装置を提供することを目的とする。
また、本発明は、このような水質予測装置により予測された下水の水質の予測値を用いることにより、下水の水質の制御を精度良く行うことができる水質制御装置を提供することを目的とする。
【課題を解決するための手段】
【０００８】
本発明は、直列に設けられた上流側下水道設備および下流側下水道設備を有する下水道システムに用いられる水質予測装置において、前記下流側下水道設備の入口側に設けられ、この下流側下水道設備に流入する下水の水質を測定する測定部と、外部より上流側下水道設備の流入量予測値または雨量強度予測値が入力され、これらの予測値に基づいて上流側下水道設備の流入水質予測値を予測する第１の水質予測部と、外部より下流側下水道設備の流入量予測値または雨量強度予測値が入力され、これらの予測値に基づいて下流側下水道設備の流入水質予測値を予測する第２の水質予測部と、前記第２の水質予測部および前記測定部に接続され、当該測定部により測定された測定値と、前記第２の水質予測部から送られた下流側下水道設備の流入水質予測値との偏差を算出する偏差算出部と、前記偏差算出部に接続され、この偏差算出部により算出された偏差に基づいて水質補正値を算出し、この水質補正値を前記第１の水質予測部に送る補正部と、を備え、前記第１の水質予測部において、前記補正部から送られた水質補正値により前記第１の水質予測部で予測された前記上流側下水道設備の流入水質予測値に対して更に補正を行うことを特徴とする水質予測装置である。
このような水質予測装置によれば、上流側下水道設備内に下水の水質を測定する測定部を設けることができない場合であっても、下流側下水道設備へ流入する下水の水質予測値と水質測定値との偏差を考慮することにより、上流側下水道設備に流入する下水の水質を精度良く予測することができる。
【０００９】
本発明は、前述の水質予測装置を備えた下水道システムに用いられ、前記上流側下水道設備内から下水を公共用水へ放流する下水放流ポンプと、この下水放流ポンプを制御する下水放流ポンプ制御装置とを更に備え、前記水質予測装置の第１の水質予測部において補正された上流側下水道設備の流入水質予測値が前記下水放流ポンプ制御装置に送られ、前記下水放流ポンプ制御装置は、前記水質予測装置から送られた補正後の上流側下水道設備の流入水質予測値に基づいて前記下水放流ポンプの制御を行うことを特徴とする水質制御装置である。
このような水質制御装置によれば、下水放流ポンプ制御装置は、下流側下水道設備へ流入する下水の水質予測値と水質測定値との偏差を考慮して予測された上流側下水道設備への流入下水の水質予測値を用いているので、下水道システムの実際の運転に沿ったより的確な下水放流ポンプの制御を行うことができ、上流側下水道設備内から所望の量の下水を公共用水へ放流することができ、このため下水の水質の制御を精度良く行うことができる。
【００１０】
本発明は、前述の水質予測装置を備えた下水道システムに用いられ、前記上流側下水道設備内に薬品を注入する薬品注入ポンプと、この薬品注入ポンプを制御する薬品注入ポンプ制御装置とを更に備え、前記水質予測装置の第１の水質予測部において補正された上流側下水道設備の流入水質予測値が前記薬品注入ポンプ制御装置に送られ、前記薬品注入ポンプ制御装置は、前記水質予測装置から送られた補正後の上流側下水道設備の流入水質予測値に基づいて前記薬品注入ポンプの制御を行うことを特徴とする水質制御装置である。
このような水質制御装置によれば、薬品注入ポンプ制御装置は、下流側下水道設備へ流入する下水の水質予測値と水質測定値との偏差を考慮して予測された上流側下水道設備への流入下水の水質予測値を用いているので、下水道システムの実際の運転に沿ったより的確な薬品注入ポンプの制御を行うことができ、上流側下水道設備内に所望の量の薬品を注入することができ、このため下水の水質の制御を精度良く行うことができる。
【００１１】
本発明は、前述の水質予測装置を備えた下水道システムに用いられ、前記上流側下水道設備内から下水を公共用水へ放流する下水放流ポンプと、この下水放流ポンプの下流側に設けられたスクリーンと、前記スクリーンを洗浄するスクリーン洗浄器と、前記スクリーン洗浄器を制御するスクリーン洗浄制御装置とを更に備え、前記水質予測装置の第１の水質予測部において補正された上流側下水道設備の流入水質予測値が前記スクリーン洗浄制御装置に送られ、前記スクリーン洗浄制御装置は、前記水質予測装置から送られた補正後の上流側下水道設備の流入水質予測値に基づいて前記スクリーン洗浄器の制御を行うことを特徴とする水質制御装置である。
このような水質制御装置によれば、スクリーン洗浄制御装置は、下流側下水道設備へ流入する下水の水質予測値と水質測定値との偏差を考慮して予測された上流側下水道設備への流入下水の下水予測値を用いているので、下水道システムの実際の運転に沿ったより的確なスクリーン洗浄器の制御を行うことができ、例えば補正後の水質予測値が高い場合にはスクリーン洗浄器によるスクリーンの洗浄を予め行ったり、また降雨時の最中にスクリーンの洗浄を行ったりすることができるので、スクリーンの濾過性能を向上させることができ、このため下水の水質の制御を精度良く行うことができる。
【００１２】
本発明は、前述の水質予測装置を備えた下水道システムに用いられ、前記上流側下水道設備および前記下流側下水道設備の間から分岐して設けられた貯留設備と、前記上流側下水道設備から貯留設備への下水の流入を調整する流入ゲートと、前記流入ゲートを制御する流入ゲート制御装置とを備え、前記水質予測装置の第１の水質予測部において補正された上流側下水道設備の流入水質予測値が前記流入ゲート制御装置に送られ、前記流入ゲート制御装置は、前記水質予測装置から送られた補正後の上流側下水道設備の流入水質予測値に基づいて前記流入ゲートの制御を行うことを特徴とする水質制御装置である。
このような水質制御装置によれば、流入ゲート制御装置は、下流側下水道設備へ流入する下水の水質予測値と水質測定値との偏差を考慮して予測された上流側下水道設備への流入下水の水質予測値を用いているので、下水道システムの実際の運転に沿って流入ゲートを制御することができ、上流側下水道設備から貯留設備へ流入する下水の流量を所望の量に調整することができ、このため下水の水質の制御を精度良く行うことができる。
【００１３】
本発明は、前述の水質予測装置を備えた下水道システムに用いられ、前記上流側下水道設備および前記下流側下水道設備の間から分岐して設けられた貯留設備と、前記貯留設備から前記下流側下水道設備へ下水を返送する返送ポンプと、前記返送ポンプを制御する返送ポンプ制御装置とを備え、前記水質予測装置の第１の水質予測部において補正された上流側下水道設備の流入水質予測値が前記返送ポンプ制御装置に送られ、前記返送ポンプ制御装置は、前記水質予測装置から送られた補正後の上流側下水道設備の流入水質予測値に基づいて前記返送ポンプの制御を行うことを特徴とする水質制御装置である。
このような水質制御装置によれば、返送ポンプ制御装置は、下流側下水道設備へ流入する下水の水質予測値と水質測定値との偏差を考慮して予測された上流側下水道設備への流入下水の水質予測値を用いているので、下水道システムの実際の運転に沿って返送ポンプを制御することができ、貯留設備から下流側下水道設備へ返送する下水の流量を所望の量に調整することができ、このため下水の水質の制御を精度良く行うことができる。
【発明の効果】
【００１４】
本発明の水質予測装置によれば、下流側下水道設備へ流入する下水の水質を予測する第２の水質予測部を備え、下流側下水道設備における水質予測値と水質測定値との偏差に基づいて水質補正値を算出し、この水質補正値により第１の水質予測部で予測された上流側下水道設備への流入下水の水質予測値の補正を行っている。このため、上流側下水道設備内に下水の水質を測定する測定部を設けることができない場合であっても、下流側下水道設備へ流入する下水の水質予測値と水質測定値との偏差を考慮することにより、上流側下水道設備に流入する下水の水質を精度良く予測することができる。
また、本発明の水質制御装置によれば、このような水質予測装置により予測された下水の水質の予測値を用いることにより、下水の水質の制御を精度良く行うことができる。
【発明を実施するための最良の形態】
【００１５】
以下、図面を参照して本発明の実施の形態について説明する。
図１は、本実施の形態の水質予測装置および水質制御装置の構成を示す説明図である。
【００１６】
まず、本実施の形態の下水道システムについて説明する。
本実施の形態における下水道システムは、ポンプ設備（上流側下水道設備）２と、このポンプ設備２の下流側に接続ライン８を介して設けられた下水処理設備（下流側下水道設備）３とを備えている。ポンプ設備２には流入ライン７から合流下水１が流入するようになっており、またこのポンプ設備２内から下水を河川等の公共用水へ放流する下水放流ポンプ５が設けられている。下水放流ポンプ５から引き抜かれたポンプ設備２内の下水は、ポンプ設備流出ライン９ｂから処理前放流水６として流出し、最終的に公共用水へ送られるようになっている。また、下水放流ポンプ５にはこの下水放流ポンプ５の制御を行う下水放流ポンプ制御装置１４が接続されている。ここで、下水放流ポンプ５および下水放流ポンプ制御装置１４により水質制御装置が構成されている。
一方、下水処理設備３において下水処理が行われた処理済放流水４は下水処理設備流出ライン９ａから流出するようになっている。下水処理設備３の入口側の例えば最初沈殿池内には流入下水の濁度を測定する濁度計（測定部）２０が設置されている。
なお、本実施の形態においては、下水道システムの上流側下水道設備としてポンプ設備２を用いるとともに下流側下水道設備として下水処理設備３を用いているが、上流側および下流側の下水道設備としてはこれらのものに限定されることはなく、ポンプ設備、下水処理設備、雨水貯留設備、自然吐口等を任意に組み合わせたものとすることができ、具体的には、例えば上流側下水道設備を自然吐口、下流側下水道設備を下水処理設備とすることもできる。
【００１７】
また、図１に示すように、この下水道システムはポンプ設備２への流入下水の濁度（水質）を予測する水質予測装置１０を備えている。この水質予測装置１０は、図１に示すように、前述の濁度計２０と、ポンプ設備２の流入下水の濁度を予測する第１の水質予測部１２と、下水処理設備３の流入下水の濁度を予測する第２の水質予測部２２と、第２の水質予測部２２および濁度計２０に接続された偏差算出部２４と、偏差算出部２４および第１の水質予測部１２に接続された補正部２５とを備えている。
【００１８】
第１の水質予測部１２は、例えばオペレータによりポンプ設備２への合流下水１の流入量予測値１１（または雨量強度予測値）が入力されるようになっており、この流入量予測値１１（または雨量強度予測値）に基づいてポンプ設備２の流入下水の濁度を予測するよう構成されている。この第１の水質予測部１２は、更に前述の方法により予測された流入下水の濁度の予測値に対して、後述の補正部２５から送られた濁度補正値により補正を行い、補正後の流入下水の濁度の予測値を下水放流ポンプ制御装置１４に送るようになっている。
【００１９】
第２の水質予測部２２は、例えばオペレータにより下水処理設備３への下水の流入量予測値２１（または雨量強度予測値）が入力されるようになっており、この流入量予測値２１（または雨量強度予測値）に基づいて下水処理設備３の流入下水の濁度を予測するよう構成されている。
【００２０】
偏差算出部２４は、第２の水質予測部２２から下水処理設備３の流入下水の濁度の予測値が送られるとともに濁度計２０により測定された濁度測定値が送られるようになっており、前述の濁度予測値から濁度測定値を減算するようになっている。
【００２１】
補正部２５は、下水処理設備３の流入下水の濁度予測値と濁度測定値との差の値が偏差算出部２４から送られるようになっており、この濁度予測値と濁度測定値との差の値に基づいて濁度補正値を算出するようになっている。
【００２２】
次に、このような構成からなる本実施の形態の作用について説明する。
水質予測装置１０において、例えばオペレータが第１の水質予測部１２にポンプ設備２へ流入する合流下水１の流入量予測値１１（または雨量強度予測値）を入力し、この第１の水質予測部１２は入力された流入量予測値１１（または雨量強度予測値）に基づいてポンプ設備２の流入下水の濁度を予測する。
また、例えばオペレータが第２の水質予測部２２に下水処理設備３への流入下水の流入量予測値２１（または雨量強度予測値）を入力し、この第２の水質予測部２２は入力された流入量予測値２１（または雨量強度予測値）に基づいて下水処理設備３の流入下水の濁度を予測する。
【００２３】
一方、濁度計２０により、下水処理設備３の入口側の例えば最初沈殿池内の流入下水の濁度が測定される。第２の水質予測部２２により予測された下水処理設備３の流入下水の濁度予測値と、濁度計２０により測定された濁度測定値とがそれぞれ偏差算出部２４に送られる。
【００２４】
偏差算出部２４において、下水処理設備３の流入下水の濁度予測値から濁度測定値を減算することにより差の値が算出される。補正部２５は、この差の値に基づいて濁度補正値を算出する。
【００２５】
補正部２５により算出された濁度補正値は第１の水質予測部１２に送られる。この第１の水質予測部１２において、補正部２５から送られた濁度補正値により、前述のポンプ設備２の流入下水の濁度の予測値に対して更に補正を行う。補正された濁度予測値は下水放流ポンプ制御装置１４に送られる。
【００２６】
下水放流ポンプ制御装置１４は、第１の水質予測部１２により算出された補正後の濁度予測値に基づいて下水放流ポンプ５を制御して公共用水へ放流する下水の流量を調整する。
【００２７】
以上のように本実施の形態の水質予測装置１０によれば、この水質予測装置１０は、下水処理設備（下流側下水道設備）３へ流入する下水の濁度（水質）を予測する第２の水質予測部２２を備え、下水処理設備３における濁度予測値（水質予測値）と濁度測定値（水質測定値）との偏差に基づいて濁度補正値（水質補正値）を算出し、この濁度補正値により第１の水質予測部１２で予測されたポンプ設備（上流側下水道設備）２への流入下水の濁度予測値（水質予測値）の補正を行っている。このため、ポンプ設備（上流側下水道設備）２内に濁度計（測定部）を設けることができない場合であっても、下水処理設備（下流側下水道設備）３における流入下水の濁度予測値と濁度測定値との偏差を考慮することにより、ポンプ設備２（上流側下水道設備）に流入する下水の濁度（水質）を精度良く予測することができる。
【００２８】
また、本実施の形態の水質制御装置によれば、水質予測装置１０の第１の水質予測部１２において補正されたポンプ設備２（上流側下水道設備）の流入下水の濁度予測値（水質予測値）が下水放流ポンプ制御装置１４に送られ、この下水放流ポンプ制御装置１４は、水質予測装置１０から送られた補正後の濁度予測値（水質予測値）に基づいて下水放流ポンプ５の制御を行っている。このように、下水放流ポンプ制御装置１４は、下水処理設備３へ流入する下水の濁度予測値と濁度測定値との偏差を考慮して予測されたポンプ設備２への流入下水の濁度予測値を用いているので、下水道システムの実際の運転に沿ったより的確な下水放流ポンプ５の制御を行うことができ、ポンプ設備２内から所望の量の下水を公共用水へ放流することができ、このため下水の水質の制御を精度良く行うことができる。
【００２９】
本発明による水質予測装置および水質制御装置は、上記の態様に限定されるものではなく、様々の変更を加えることができる。
例えば、水質予測装置により予測される下水の水質は濁度に限られず、ＵＶ（紫外線吸光度）、ＣＯＤ（化学的酸素要求量）、ＢＯＤ（生物化学的酸素要求量）、ＳＳ（浮遊物質）、大腸菌群数等の他の種類のものであってもよい。
【００３０】
他の変形例としては、図２に示すように、薬品注入ライン３２により液体の消毒剤をポンプ設備内２に注入する薬品注入ポンプ３１とこの薬品注入ポンプ３１を制御する薬品注入ポンプ制御装置３３とを更に設け、第１の水質予測部１２から下水放流ポンプ制御装置１４にポンプ設備２の流入下水の補正後の濁度予測値が送られる代わりに薬品注入ポンプ制御装置３３にこの補正後の濁度予測値が送られるようになっていてもよい。
本変形例においては、薬品注入ポンプ３１および薬品注入ポンプ制御装置３３により水質制御装置が構成されている。
【００３１】
このような水質制御装置によれば、水質予測装置１０の第１の水質予測部１２において補正されたポンプ設備（上流側下水道設備）２の流入下水の濁度予測値（水質予測値）が薬品注入ポンプ制御装置３３に送られ、この薬品注入ポンプ制御装置３３は、水質予測装置１０から送られた補正後の濁度予測値（水質予測値）に基づいて薬品注入ポンプ３１の制御を行っている。このように、薬品注入ポンプ制御装置３３は、下水処理設備３の流入下水の濁度予測値と濁度測定値との偏差を考慮して予測されたポンプ設備２への流入下水の濁度予測値を用いているので、下水道システムの実際の運転に沿ったより的確な薬品注入ポンプ３１の制御を行うことができ、ポンプ設備２内に所望の量の消毒剤（薬品）を注入することができ、このため下水の水質の制御を精度良く行うことができる。
【００３２】
更に他の変形例としては、図３に示すように、下水放流ポンプ５の下流側にスクリーン４０を設けるとともに、このスクリーン４０を洗浄するスクリーン洗浄器４１と、スクリーン洗浄器４１を制御するスクリーン洗浄制御装置４２とを更に設け、第１の水質予測部１２から下水放流ポンプ制御装置１４にポンプ設備（上流側下水道設備）２の流入下水の補正後の濁度予測値が送られる代わりにスクリーン洗浄制御装置４２にこの補正後の濁度予測値が送られるようになっていてもよい。
本変形例においては、下水放流ポンプ５、スクリーン４０、スクリーン洗浄器４１およびスクリーン洗浄制御装置４２により水質制御装置が構成されている。
【００３３】
このような水質制御装置によれば、水質予測装置１０の第１の水質予測部１２において補正されたポンプ設備（上流側下水道設備）２の流入下水の濁度予測値（水質予測値）がスクリーン洗浄制御装置４２に送られ、このスクリーン洗浄制御装置４２は、水質予測装置１０から送られた補正後の濁度予測値（水質予測値）に基づいてスクリーン洗浄器４１の制御を行っている。このように、スクリーン洗浄制御装置４２は、下水処理設備３の流入下水の濁度予測値と濁度測定値との偏差を考慮して予測されたポンプ設備２への流入下水の濁度予測値を用いているので、下水道システムの実際の運転に沿ったより的確なスクリーン洗浄器４１の制御を行うことができ、例えば補正後の濁度予測値が高い場合にはスクリーン４０の汚れがそれほど酷くないときであってもスクリーン洗浄器４１によるスクリーン４０の洗浄を予め行ったり、また降雨時の最中にスクリーン４０の洗浄を行ったりすることができるので、スクリーン４０の濾過性能を向上させることができ、このため下水の水質の制御を精度良く行うことができる。
【００３４】
更に他の変形例としては、図４に示すように、ポンプ設備（上流側下水道設備）２および下水処理設備（下流側下水道設備）３の間の接続ライン８から分岐して設けられた雨水貯留設備（貯留設備）５０と、この雨水貯留設備５０への下水の流入を調整する流入ゲート５１と、この流入ゲート５１を制御する流入ゲート制御装置５２とを更に設け、第１の水質予測部１２から下水放流ポンプ制御装置１４にポンプ設備２の流入下水の補正後の濁度予測値が送られる代わりに流入ゲート制御装置５２にこの補正後の濁度予測値が送られるようになっていてもよい。
本変形例においては、雨水貯留設備５０、流入ゲート５１および流入ゲート制御装置５２により水質制御装置が構成されている。
【００３５】
このような水質制御装置によれば、水質予測装置１０の第１の水質予測部１２において補正されたポンプ設備（上流側下水道設備）２の流入下水の濁度予測値（水質予測値）が流入ゲート制御装置５２に送られ、この流入ゲート制御装置５２は、水質予測装置１０から送られた補正後の濁度予測値（水質予測値）に基づいて流入ゲート５１の制御を行っている。このように、流入ゲート制御装置５２は、下水処理設備３へ流入する下水の濁度予測値と濁度測定値との偏差を考慮して予測されたポンプ設備２への下水の濁度予測値を用いているので、下水道システムの実際の運転に沿って流入ゲート５１を制御することができ、ポンプ設備（上流側下水道設備）２から雨水貯留設備（貯留設備）５０へ流入する下水の流量を所望の量に調整することができ、このため下水の水質の制御を精度良く行うことができる。
【００３６】
更に他の変形例としては、図５に示すように、図４に示す下水道システムに対して雨水貯留設備５０から接続ライン８へ下水を返送する返送ポンプ５３と、この返送ポンプ５３を制御する返送ポンプ制御装置５４とを設け、第１の水質予測部１２から下水放流ポンプ制御装置１４にポンプ設備（上流側下水道設備）２の流入下水の補正後の濁度予測値が送られる代わりに返送ポンプ制御装置５４にこの補正後の濁度予測値が送られるようになっていてもよい。
本変形例においては、雨水貯留設備５０、返送ポンプ５３および返送ポンプ制御装置５４により水質制御装置が構成されている。
【００３７】
このような水質制御装置によれば、水質予測装置１０の第１の水質予測部１２において補正されたポンプ設備（上流側下水道設備）２の流入下水の濁度予測値（水質予測値）が返送ポンプ制御装置５４に送られ、この返送ポンプ制御装置５４は、水質予測装置１０から送られた補正後の濁度予測値（水質予測値）に基づいて返送ポンプ５３の制御を行っている。このように、返送ポンプ制御装置５４は、下水処理設備３の流入下水の濁度予測値と濁度測定値との偏差を考慮して予測されたポンプ設備２への流入下水の濁度予測値を用いているので、下水道システムの実際の運転に沿って返送ポンプ５３を制御することができ、雨水貯留設備（貯留設備）５０から下水処理設備（下流側下水道設備）３へ返送する下水の流量を所望の量に調整することができ、このため下水の水質の制御を精度良く行うことができる。
【図面の簡単な説明】
【００３８】
【図１】本実施の形態の水質予測装置および水質制御装置の構成を示す説明図である。
【図２】本実施の形態の他の水質制御装置の構成を示す説明図である。
【図３】本実施の形態の更に他の水質制御装置の構成を示す説明図である。
【図４】本実施の形態の更に他の水質制御装置の構成を示す説明図である。
【図５】本実施の形態の更に他の水質制御装置の構成を示す説明図である。
【図６】従来の水質予測装置および水質制御装置の構成を示す説明図である。
【符号の説明】
【００３９】
１    合流下水
２    ポンプ設備（上流側下水道設備）
３    下水処理設備（下流側下水道設備）
４    処理済放流水
５    下水放流ポンプ
６    処理前放流水
７    流入ライン
８    接続ライン
９ａ  下水処理設備流出ライン
９ｂ  ポンプ設備流出ライン
１０  水質予測装置
１１  ポンプ設備（上流側下水道設備）の流入量予測値
１２  第１の水質予測部
１４  下水放流ポンプ制御装置
２０  濁度計（測定部）
２１  下水処理設備（下流側下水道設備）の流入量予測値
２２  第２の水質予測部
２４  偏差算出部
２５  補正部
３１  薬品注入ポンプ
３２  薬品注入ライン
３３  薬品注入ポンプ制御装置
４０  スクリーン
４１  スクリーン洗浄器
４２  スクリーン洗浄制御装置
５０  雨水貯留設備（貯留設備）
５１  流入ゲート
５２  流入ゲート制御装置
５３  返送ポンプ
５４  返送ポンプ制御装置
８０  水質予測装置
８１  流入量予測値
８２  流入水質予測部
【図１】
2006274577.tif 000003
【図２】
2006274577.tif 000004
【図３】
2006274577.tif 000005
【図４】
2006274577.tif 000006
【図５】
2006274577.tif 000007
【図６】
2006274577.tif 000008